(57)【要約】【課題】多種類表示パターン中の任意の複数パターンを選択的に出力可能としたレーザポインタにおいて、その全体形状のコンパクト化を図り、また、パターン選択操作上の利便性を確保する。【解決手段】筐体の平面形状上面部にスライド操作部４ｂを設定して、このスライド操作部４ｂと外部へのレーザ放射部４ａ（単一のレーザモジュール４など）とを同一方向に連動する形で設けるとともに、レーザ放射部４ａからのレーザが通過する複数種別のレーザ光通過部（アンダーライン用パターンレンズ２，矢印用パターンレンズ３およびパターンレンズなしの下側・上側溝状部５ｃ，７ａ）を筐体に一列の固定態様で配置した。また、利用者へクリック感を与えるためのクリック作用部（複数の凹み部５ｂとこれに付勢されながら入り込むレーザモジュール４のボール部４ｅ）を有している。【選択図】図２
2011164466.tif 000002
【特許請求の範囲】
【請求項１】
少なくとも平面形状の上面部およびレーザ光通過用の前側面部を備えた筐体と、
前記前側面部と対向する第１の筐体内部域にそれぞれ一列の固定態様で配置された、少なくともパターンレンズを含む複数種別のレーザ光通過部と、
前記平面形状の上面部の近傍位置に個々に設けられたスライド操作部および電源操作部と、
前記第１の筐体内部域より後方の第２の筐体内部域に設けられて、前記スライド操作部と一体で同じ方向に連動する形で、前記複数種別のレーザ光通過部の任意の一つに対向した位置へ移動する単一のレーザ光放射部と、
からなることを特徴とするレーザポインタ。
【請求項２】
前記レーザ光放射部は、
前記直線方向に移動するレーザモジュールとして設定されたものであり、
前記筐体は、その内部に、
前記レーザモジュールを受ける底面部を有し、
前記レーザモジュールは、
前記レーザモジュールが前記レーザ光通過部の任意の一つに対向した特定位置まで移動したことを利用者に看取させるための、第１のクリック作用部を有し、
前記底面部は、
前記第１のクリック作用部と協働して、前記レーザモジュールが前記特定位置まで移動したことを利用者に看取させるための、第２のクリック作用部を有している、
ことを特徴とする請求項１記載レーザポインタ。
【請求項３】
前記レーザモジュールは、
上下方向の貫通部が設けられたものであり、
前記第１のクリック作用部は、
前記貫通部の下端側に設定されたボール部と、当該ボール部を下方向に付勢する弾性部材とを少なくとも有し、
前記第２のクリック作用部は、
前記ボール部が入り込む形の凹状部である、
ことを特徴とする請求項２記載のレーザポインタ。
【発明の詳細な説明】
【技術分野】
【０００１】
本発明は、各種パターンを選択的に表示可能なレーザポインタに関する。
特に、少なくともパターンレンズ（例えば矢印用パターンレンズ，アンダーライン用パターンレンズなど）を含む複数種別のレーザ光通過部が筐体内部に一列の固定態様で配置され、かつ、平面形状の筐体上面部に電源スイッチとともにその近傍に設けられたスライド操作部の操作により、筐体内部の単一のレーザ光放射部が当該レーザ光通過部の任意の一つとの対向位置まで移動する形の、レーザポインタに関する。
【０００２】
レーザポインタは、スクリーンを用いたいわばプレゼンなどの場において当該スクリーン上の任意の箇所を指し示すための手段として広く用いられている。
【０００３】
本発明のレーザポインタは、レーザ光そのもの（ドットパターン）も含めた多種類表示パターン中の任意の複数パターンを選択的に出力可能としたレーザポインタにおいて、その全体形状のコンパクト化を図り、また、パターン選択操作上の利便性を確保したいという要請に応えるものである。
【０００４】
なお、本明細書において、「前」とはレーザポインタの作動時にレーザ光が放射される側を示し、「後」とはこれの反対側を示している。すなわち、図１の左斜め下側や図３の左側が「前」で、図１の右斜め上側や図３の右側が「後」となる。
【背景技術】
【０００５】
従来、多種類表示パターン中の任意の複数パターンを選択的に出力可能としたレーザポインタは、例えば下記の文献などで開示されている。
【０００６】
このレーザポインタ（図３参照）は、円筒形状の本体ケース[1]，半導体レーザを用いた光源[2]，複数の画像形成用フィルタ[3]，投影画像の形状を選択するための形状選択ボタン[4]，レーザ光源駆動用のスイッチ[5]，投影レンズ[6]および電池[7]などからなっている。
【０００７】
ここで、光源[2]は円筒形状の本体ケース[1]に固定され、形状選択ボタン[4]は当該本体ケースの長軸方向にスライド移動する。
【０００８】
また、複数の画像形成用フィルタ[3]は、本体ケース[1]の径方向に伸縮する弾性体によって本体ケース内部に個々に保持されており、形状選択ボタン[4]が作用していない状態ではレーザ光の光軸外に位置する。このときの投影パターンは光源[2]のレーザ光に対応したドット形状である。
【０００９】
形状選択ボタン[4]のスライド操作により、所定の画像形成用フィルタが押圧されてレーザ光の光軸上へと移動し、当該フィルタに対応したパターンのレーザ光が投影される。この画像形成用フィルタの移動方向はスライド操作方向と直交する円筒（本体ケース）径方向である。
【先行技術文献】
【特許文献】
【００１０】
【特許文献１】特開２００９−００３３９８号公報
【発明の概要】
【発明が解決しようとする課題】
【００１１】
このように、従来のいわばマルチパターン投影の上記レーザポインタの場合、形状選択ボタン[4]のスライド操作により、円筒形状の本体ケース[1]の内部に弾性保持された複数の画像形成用フィルタ[3]の何れか一つを、光源[2]のレーザ光の光軸外位置から光軸上位置へと移動させている。
【００１２】
すなわち、円筒形状の本体ケース[1]にレーザ光源[2]が固定され、当該本体ケースの内部に弾性保持された画像形成用フィルタ[3]の一つが選択的にスライド操作方向と直交する（本体ケースの）円筒径方向に移動して、光軸上位置へとシフトする。
【００１３】
そのため、レーザポインタの利用者は、先ず円筒形状の本体ケース[1]の上下関係について形状選択ボタン[4]の操作部が略真上となるように明に意識した上で、当該本体ケースを把持することが必要となり、使い勝手の点において利便性にかけるという問題点を有していた。
【００１４】
また、利用者は、レーザ光路外位置に弾性保持された画像形成用フィルタ[3]をこの弾性保持力に抗する形でレーザ光路上位置へ移動させなければならず、当該移動のための操作性が悪いという問題点を有していた。
【００１５】
また、複数の画像形成用フィルタ[3]のそれぞれと形状選択ボタン[4]との少なくとも三部材が移動して、形状選択ボタンの操作方向とこれに連動する画像形成用フィルタの移動方向とが直交関係となるフィルタ選択機構の組立てに手間がかかり、当該選択機構の十分な作動精度やコストダウン化も担保されにくいという問題点を有していた。
【００１６】
そこで本発明では、筐体の平面形状上面部にスライド操作部を設定して、外部へのレーザ光放射部（単一のレーザモジュールなど）を当該スライド操作部と同一方向に連動する形で設けるとともに、複数種別のレーザ光通過部（パターンレンズなど）を筐体に一列の固定態様で配置した構造のレーザポインタを提供する。
【００１７】
この構造により、
利用者が平面形状上面部のスライド操作部に基づいてレーザポインタ全体の上下関係をいわば無意識に把握できるようにして、かつ、スライド操作にともなう複数種別のレーザ光通過部の選択に必要な移動部材（＝当該通過部のそれぞれに共通する単一のレーザ光放射部）を最小個数ですませ、その移動方向もスライド操作と同一方向に設定して、
レーザポインタ使用時の利便性を確保しつつ、レーザ光通過部の選択機構の作動精度向上化およびコストダウン化を図ることを目的とする。
【００１８】
さらには、レーザ光通過部選択用の移動部材（レーザモジュール）と、これを受ける筐体内部の底面部とに、スライド操作に応じて当該移動部材が何れかのレーザ光通過部に対向する所定位置まで移動したとき、利用者へクリック感を与えるための作用部（ボール部，これを受ける凹状部など）を設けて、レーザポインタ使用時の利便性をさらに高めることを目的とする。
【課題を解決するための手段】
【００１９】
本発明は、以上の課題を次のようにして解決する。
（１）少なくとも平面形状の上面部（例えば後述の上面部１ｂ）およびレーザ光通過用の前側面部（例えば後述のレーザ光通過用孔部１ｇ〜１ｉ）を備えた筐体（例えば後述の筐体１）と、
前記前側面部と対向する第１の筐体内部域にそれぞれ一列の固定態様で配置された、少なくともパターンレンズ（例えば後述のアンダーライン用パターンレンズ２，矢印用パターンレンズ３）を含む複数種別のレーザ光通過部（例えば当該パターンレンズ２，３およびパターンレンズなしの後述の下側・上側溝状部５ｃ，７ａ）と、
前記平面形状の上面部の近傍位置に個々に設けられたスライド操作部（例えば後述のスライド操作部４ｂ）および電源操作部（例えば後述の電源スイッチ９ａ）と、
前記第１の筐体内部域より後方の第２の筐体内部域に設けられて、前記スライド操作部と一体で同じ方向に連動する形で、前記複数種別のレーザ光通過部の任意の一つに対向した位置へ移動する単一のレーザ光放射部（例えば後述の放射部４ａ）と、
からなるレーザポインタを用いる。
（２）上記（１）において、
前記レーザ光放射部は、
前記直線方向に移動するレーザモジュール（例えば後述のレーザモジュール４）として設定されたものであり、
前記筐体は、その内部に、
前記レーザモジュールを受ける底面部（例えば後述の下ケース５）を有し、
前記レーザモジュールは、
前記レーザモジュールが前記レーザ光通過部の任意の一つに対向した特定位置まで移動したことを利用者に看取させるための第１のクリック作用部（例えば後述のボール部４ｅ）を有し、
前記底面部は、
前記第１のクリック作用部と協働して、前記レーザモジュールが前記特定位置まで移動したことを利用者に看取させるための第２のクリック作用部（例えば後述の凹み部５ｂ）を有している。
（３）上記（２）において、
前記レーザモジュールは、
上下方向の貫通部（例えば後述の貫通部４ｄ）が設けられたものであり、
前記第１のクリック作用部は、
前記貫通部の下端側に設定されたボール部（例えば後述のボール部４ｅ）と、当該ボール部を下方向に付勢する弾性部材（例えば後述のコイルスプリング４ｆ）とを少なくとも有し、
前記第２のクリック作用部は、
前記ボール部が入り込む形の凹状部（例えば後述の凹み部５ｂ）である。
【発明の効果】
【００２０】
本発明はこのように、利用者が平面形状上面部のスライド操作部に基づいてレーザポインタ全体の上下関係をいわば無意識に把握できるようにして、かつ、複数種別のレーザ光通過部（パターンレンズなど）を一列に固定配置した上で、スライド操作にともなう当該レーザ光通過部の選択に必要な移動部材（＝当該通過部のそれぞれに共通する単一のレーザ光放射部）を最小個数ですませ、その移動方向もスライド操作と同一方向に設定しているので、レーザポインタ使用時の利便性を確保しつつ、レーザ光通過部の選択機構の作動精度向上化およびコストダウン化を図ることができる。
【００２１】
特に、一列に固定配置した複数種別のレーザ光通過部に対して単一レーザ光源を移動させるようにしているので、移動部材（本願発明では単一レーザ光源）の移動範囲が、固定の単一レーザ光源に対して一列の複数種別のレーザ光通過部を選択的に移動させる場合よりも少なくてすみ、レーザポインタ全体の小型化を図ることができる。
【００２２】
例えば同じ幅からなるｎ種類のレーザ光通過部（パターンレンズなど）を一列に保持した部材を移動させて、当該レーザ光通過部のそれぞれを固定タイプの単一レーザ光源に個々に対向させるためには、（２ｎ−１）種類分の幅相当の移動範囲が必要である。一方、本願発明のようにｎ種類のレーザ光通過部を一列に固定配置し、これに対して単一レーザ光源を移動させる場合の最大移動範囲は勿論「ｎ」種類分で済む。
【００２３】
また、レーザ光通過部選択用の移動部材（レーザモジュール）と、これを受ける筐体内部の底面部に、スライド操作に応じて当該移動部材が何れかのレーザ光通過部に対向する所定位置まで移動したとき、利用者へクリック感を与えるための作用部（ボール部，これを受ける凹状部など）を設けているので、レーザポインタ使用時の利便性をさらに高めることができる。
【図面の簡単な説明】
【００２４】
【図１】レーザポインタ全体の外観斜視状態を示す説明図である。
【図２】筐体内部のレーザモジュール，基板（電源スイッチユニット，ＬＥＤ搭載）および固定式パターンレンズ（２種類）などの関連構成を示す説明図である。
【図３】スライド操作にともなうレーザモジュールの移動位置とそのときの作動対象パターンレンズとの対応関係を示す説明図である。(a)はレーザモジュールがパターンレンズ無しの中央の下側・上側溝状部に対向した状態を示し、(b)はレーザモジュールが一方の端部のアンダーライン用パターンレンズに対向した状態を示し、(c)はレーザモジュールが他方の端部の矢印用パターンレンズに対向した状態を示している。
【図４】レーザモジュールのスライド操作時に図３(a)，(b)，(c)の各位置でのクリック感を利用者に与えるための構成（レーザモジュールおよび下ケース）を示す説明図である。
【発明を実施するための形態】
【００２５】
図１〜図４を用いて本発明を実施するための形態を説明する。
【００２６】
なお、各図で用いるアルファベット付き参照番号の構成要素（例えば上面部１ａ）は原則として、当該参照番号の数字部分の構成要素（例えば筐体１）の一部であることを示している。
【００２７】
図１〜図４において、
１は上側部分と下側部分とを固定した形の直方体状の筐体，
１ａは後述の電源スイッチユニット８の操作部やスライド操作部４ｂなどが表出している平面形状の上面部，
１ｂは上面部１ａに記されてスライド操作時の案内表示となる３種類の表示パターン（一方の側からアンダーライン，ドット，矢印），
１ｃは上面部１ａに形成されたスライド操作用のスリット状部，
１ｄは上面部１ａに記されたスライド操作表示部分，
１ｅは上面部１ａに形成されて電源オン状態を示すＬＥＤ光通過用の窓部，
１ｆは上面部１ａに形成された電源操作用孔部，
１ｇ〜１ｉは筐体１の前面部に、後述のパターンレンズ２，３などと個々に対応する形で一列に設けられたレーザ光通過用孔部，
２はレーザ光通過用孔部１ｇと対向する位置に固定態様で設けられたアンダーライン用パターンレンズ，
３はレーザ光通過用孔部１ｉと対向する位置に固定態様で設けられた矢印用パターンレンズ，
４はレーザポインタ利用者のスライド操作に応じて図示矢印の直線方向に移動し、各種表示パターンの光源として作用するレーザモジュール，
４ａはレーザ光通過用孔部１ｇ〜１ｉのそれぞれへ選択的にレーザ光を出力する放射部，
４ｂはレーザモジュール上面に形成され、レーザポインタの組立て後には筐体１のスリット状部１ｃから突出した状態に設定されるスライド操作部，
４ｃはレーザモジュール底面に形成され、当該レーザモジュールのスライド移動時の被ガイド部として作用する直線突状部，
４ｄはレーザモジュール上下方向に形成された一対の貫通部，
４ｅは貫通部４ｄの下端域に配設され、スライド操作部４ｂを操作するレーザポインタ利用者に対して、当該レーザモジュールがその作動位置（＝レーザ光通過用孔部１ｇ〜１ｉと対向する位置）へ移動したときのクリック感を与えるための計二個のボール部，
４ｆは貫通部４ｄの中間域に配設されてボール部４ｅを下方向に付勢するコイルスプリング，
４ｇは貫通部４ｄの上側域に設けられてコイルスプリング４ｆを押さえて保持するための栓部材，
５は筐体１の内部に固定的に保持されて、レーザモジュール４や後述の基板８を収容する下ケース，
５ａは当該下ケースの長方形状平面のレーザモジュール収容域の底面部に形成され、スライド操作により移動するレーザモジュール４の直線突状部４ｃを案内する直線方向のガイド用溝状部，
５ｂはガイド用溝状部５ａと平行する底面部分に貫通部４ｄと同じ間隔で形成され、２個のボール部４ｅがそれぞれ入り込むことにより上記クリック感の付与作用を呈する計四個の凹み部，
５ｃは当該下ケースの前側周面部に一列態様で形成されて各種パターンレンズを個々に保持するための半円状の下側溝状部（計三個），
５ｄは当該下ケースの前側部分に後述の上蓋７を固定するためのネジ穴（計四個），
５ｅは当該下ケースに後側部分に後述の基板８を固定するためのネジ穴（計二個），
６はネジ穴５ｄと螺合するネジ（計四個），
７は下ケース５の前側部分にネジ止めされ、当該下ケースとの間の空間域にレーザモジュール４を直線方向に移動可能な形で収容する長方形状平面の上蓋，
７ａは当該上蓋の前側周面部に一列態様で形成されて下側溝状部５ｃとともに各種パターンレンズを個々に選択保持するための半円状の上側溝状部（計三個），
７ｂは当該上蓋の上面部に形成され、そこからスライド操作部４ｂが突出してその直線方向の移動を可能にするためのスリット状開口部，
７ｃはネジ穴５ｄに対応してネジ６が挿入される孔部（計四個），
８は下ケース５の後側部分にネジ止め（フランジ部分による係止）された長方形状平面の基板，
９は基板８に搭載された電源スイッチユニット，
９ａは筐体１の電源操作用孔部１ｆに配設された電源スイッチ，
１０は基板８に搭載された電源オン表示用のＬＥＤ，
１１は筐体１に収容された電池，
１２は基板８と電池１１との間に配設されて電源スイッチユニット９およびＬＥＤ１０などに電源を供給するリード線，
１３はレーザモジュール４と基板８との間に配設されて当該レーザモジュールに電源を供給するフレキシブルリード線，
１４はネジ穴５ｅと螺合するネジ（計二個），
をそれぞれ示している。
【００２８】
図１〜図４のレーザポインタの基本的特徴は、
(11)筐体１の上面部１ａが平面形状であり、
(12)この平面形状上面部１ａの近傍位置にスライド操作部４ｂおよび電源スイッチ９ａが設けられており、
(13)アンダーライン用パターンレンズ２および矢印用パターンレンズ３がそれぞれ、筐体１の内部の、下側溝状部５ｃと上側溝状部７ａとの間に固定され、
(14)スライド操作部４ｂの操作に応じてレーザモジュール４が直線方向に移動する、
ことである。
【００２９】
さらには、
(21)レーザモジュール４は、その底面側に設けた二個のボール部４ｅが下ケース５の底面上を転がりながら、直線方向に移動し、
(22)このボール部４ｅがそれぞれ下ケース５の凹み部５ｂに入り込むことにより利用者にクリック感を与え、
(23)このクリック感が発生するときのスライド操作部位置において、レーザモジュール４の放射部４ａは三箇所の下側・上側溝状部５ｃ，７ａで画定される開口部分（＝アンダーライン用パターンレンズ２，矢印用パターンレンズ３などの設置部分）のいずれかと対向する、
ことをも特徴としている。
【００３０】
ここで、基板８に搭載された電源スイッチユニット９およびＬＥＤ１０はリード線１２を介して電池１１に接続されている。
【００３１】
また、下ケース５の前側空間域に配設されたレーザモジュール４は、リード線１２，基板８の配線（図示省略）およびフレキシブルリード線１３を介して、電池１１に接続されている。
【００３２】
利用者が図示のレーザポインタを操作するには例えば右手で筐体１を把持してから、
(31)その上面部１ａに記された表示パターン１ｂを参照して、人差し指などで当該上面部のスライド操作部４ｂを使用対象の当該表示パターンの方に動かし、その途中で、当該操作部と一体のボール部４ｅが下ケース５の凹み部５ｂに入り込んだときのクリック感を得たときに、当該スライド操作を止め、
(32)同じく人差し指などで電源スイッチ９ａを押圧すればよい。
【００３３】
スライド操作部４ｂおよび電源スイッチ９ａはともに平面形状の上面部１ａの近傍位置に設けられている。これにより、希望パターンレンズの位置へのレーザモジュール４の移動操作およびレーザモジュール作動のための電源オン操作といった、二つのいわば必須操作に関する利便性がきわめて高いものになっている。
【００３４】
上記(32)の電源スイッチ９ａの押圧操作により、レーザモジュール４に組み込まれた周知のレーザ機構が作動してその放射部４ａからレーザ光が出力される。この電源操作にともないＬＥＤ１０も作動する。
【００３５】
放射部４ａからのレーザ光は、先のスライド操作部４ｂの移動操作で選択された位置の当該放射部と対向する例えばパターンレンズ２を通過して、スクリーン（図示省略）にそのパターン（パターンレンズ２の場合はアンダーライン）を表示する。
【００３６】
なお、レーザモジュール４は、その直線突状部４ｃが下ケース５のガイド用溝状部５ａに入り込み、かつ、そのスライド操作部４ｂが上蓋７のスリット状開口部７ｂから飛び出た状態で設定されている。
【００３７】
したがって利用者が、スライド操作部４ｂの直ぐ近くに設定された表示パターン１ｂに応じて当該スライド操作部をスライド操作表示部分１ｄの矢印方向に操作すると、レーザモジュール４は、自らの直線突状部４ｃと下ケース５のガイド用溝状部５ａとの案内作用により安定的に直線移動する。
【００３８】
下ケース５の前側空間域の底面にはガイド用溝状部５ａと平行する線上に計四個の凹み部５ｂが形成されている。これにより、レーザモジュール４の下面側に配設された二個のボール部４ｅも、スライド操作部４ｂの上記操作にともない当該凹み部を結ぶ直線に沿って移動する。
【００３９】
このスライド操作において、レーザモジュール４の放射部４ａが、アンダーライン用パターンレンズ２，パターンレンズなしの下側・上側溝状部５ｃ，７ａおよび矢印用パターンレンズ３のいずれかに対向する所定位置まで移動する、すなわち二個のボール部４ｅがそれぞれ下ケース５の凹み部５ｂと対向した状態になると、当該各ボール部は、コイルスプリング５ｆの付勢力により下動して当該凹み部に入りこむ。
【００４０】
利用者は、このボール部４ｅが凹み部５ｂへ入り込む際のクリック感を得て、これにより放射部４ａが上記パターンレンズ２，３などの一つと対向する位置にあることを知りえる。
【００４１】
そして利用者は、自らの選択パターン（アンダーライン用パターン，ドット用パターンおよび矢印用パターンのいずれか）に合致しているクリック感発生位置で、スライド操作をおこなったのと同じ指で直ぐ近くの電源スイッチ９ａを押圧する。この押圧操作により、選択パターンのレーザ光がレーザ光通過用孔部１ｇ〜１ｉの対応孔部を経てスクリーン（図示省略）などに表示される。
【００４２】
図示のレーザポインタの組立て手順は、概略次のようになる。
(41)レーザモジュール４にフレキシブルリード線１３の一方の端部などを、例えば端子結合，半田づけなどの周知の方法により取り付ける。
(42)基板８に、電源スイッチユニット９，ＬＥＤ１０，リード線１２の一方の端部およびフレキシブルリード線１３の他方の端部などを、例えばネジ止め，嵌合，溶着，端子結合，半田づけなどの周知の方法により取り付ける。
(43)上記(41)，(42)の取付け後のレーザモジュール４および基板８をそれぞれ下ケース５の内部空間域（凹状部）に配設し、かつ、当該レーザモジュールの貫通部４ｄにボール部４ｅおよびコイルスプリング４ｆを上方から順に入れて、栓部材４ｇを取り付ける。
(44)アンダーライン用パターンレンズ２および矢印用パターンレンズ３をそれぞれ下ケース５の下側溝状部５ｃに入れる。
(45)ネジ１４をネジ穴５ｅに螺合させて、当該ネジのフランジ部分で基板８を下ケース５に係止する。
(46)ネジ６をネジ穴５ｄに螺合させて、上蓋７を下ケース５に取り付ける。
(47)上記(45)，(46)のネジ止め後の下ケース５，上蓋７および基板８を筐体１の下側部分に組み込む。
(48)筐体１の下側部分に当該筐体の上側部分を、例えば螺合，嵌合，溶着などの周知の方法により取り付けて、下ケース５および上蓋７を当該上側部分と当該下側部分との間に挟みこむ。
【００４３】
本発明が以上の実施形態に限定されないことは勿論であり、例えば、
(51)ドットパターン表示を捨象して、すべての下側・上側溝状部５ｃ，７ａに各種パターンレンズを設ける、
(52)四個以上の下側・上側溝状部５ｃ，７ａを設ける、
(53)レーザモジュール４の下面部に被ガイド部としての直線溝状部を形成し、下ケース５の底面部にガイド部としての直線突状部を形成する、
(54)貫通部４ｄおよびボール部４ｅなどに代えて、レーザモジュール底面の図示ボール部の位置に、下方向への伸性状を呈して下ケース５の凹み部５ｂに入り込む形の弾性部材を設ける、
(55)スライド操作部４ｂの移動方向を円弧状などの曲線方向とする、
(56)レーザポインタの上記組立て手順を、レーザモジュール４にフレキシブルリード線１３の一方の端部を取付け、かつ、各パターンレンズ２，３およびレーザモジュール４を下ケース５にセットしてから上蓋７を当該下ケースにネジ止めする、という制約の下で任意に変更する、
ようにしてもよい。
【符号の説明】
【００４４】
１：直方体状の筐体
１ａ：平面形状の上面部
１ｂ：３種類の表示パターン（一方の側からアンダーライン，ドット，矢印）
１ｃ：スライド操作用のスリット状部
１ｄ：スライド操作表示部分
１ｅ：ＬＥＤ光通過用の窓部
１ｆ：電源操作用孔部
１ｇ〜１ｉ：レーザ光通過用孔部
２：アンダーライン用パターンレンズ
３：矢印用パターンレンズ
４：レーザモジュール
４ａ：放射部
４ｂ：スライド操作部
４ｃ：直線突状部
４ｄ：一対の貫通部
４ｅ：ボール部
４ｆ：コイルスプリング
４ｇ：栓部材
５：下ケース
５ａ：ガイド用溝状部
５ｂ：凹み部
５ｃ：半円状の下側溝状部
５ｄ：上蓋固定用のネジ穴（計四個）
５ｅ：基板固定用のネジ穴（計二個）
６：上蓋固定用のネジ（計四個）
７：長方形状平面の上蓋
７ａ：上側溝状部
７ｂ：スリット状開口部
７ｃ：孔部（計四個）
８：長方形状平面の基板
９：電源スイッチユニット
９ａ：電源スイッチ
１０：電源オン表示用のＬＥＤ
１１：電池
１２：リード線
１３：フレキシブルリード線
１４：基板固定用のネジ（計二個）
【図１】
2011164466.tif 000003
【図２】
2011164466.tif 000004
【図３】
2011164466.tif 000005
【図４】
2011164466.tif 000006